(57)【要約】  単糸を編むことにより得られる単一のテキスタイル部を含むタイ（１）であって、前記テキスタイル部は広がり／狭まるその構成を用いて形作られている。タイ（１）は複数の折り畳み部を有し、これは前記タイの所定の形状を得るために、前記タイの２つ以上の端部の重ね合わせを可能にする。ニードルテキスタイル機を用いて前記タイを製造するための方法。【選択図】      図１
2009542926.tif 000002
【特許請求の範囲】
【請求項１】
単糸を編むことにより得られる単一のテキスタイル要素から構成されるタイ（１）であって、前記テキスタイル部は、その編地（fabrication）を大きくし、および小さくすることにより形作られており、ここで、前記タイの２つ以上の端部の重なりを可能にして、所定の形状の前記タイを得ることができる複数の折り畳み領域を有することを特徴とするタイ（１）。
【請求項２】
前記折り畳み領域が、針抜き（needle-out）様式で処理されている請求項１に記載のタイ。
【請求項３】
前記針抜き処理が、目に見えないタイの表面で、前記の折り畳み領域において行われている請求項２に記載のタイ。
【請求項４】
前記折り畳み領域が、前記タイの長手方向軸に対して対称に位置している請求項１〜３のいずれか一項に記載のタイ。
【請求項５】
前記針抜き折り畳み領域（８）はラインを形成し、ここで、前記タイのファブリックは減少した厚さを有している請求項２に記載のタイ。
【請求項６】
前記テキスタイル要素は、プントストッファ（punto stoffa）または編みファブリック生産工程により製造されている請求項１〜５のいずれか一項に記載のタイ。
【請求項７】
前記プントストッファまたは編みファブリックは、約１８の細度を有する請求項６に記載のタイ。
【請求項８】
長手展開方向を有し、これに沿って、第１の部位（１ａ）、中間部位（１ｂ）、および前記中間部位（１ｂ）に対して前記第１の部位（１ａ）と反対側に位置する第２の部位（１ｃ）をなす請求項１〜７のいずれか一項に記載のタイ。
【請求項９】
前記第１の部位は、前記タイの前記第１の部位（１ａ）の端部（２）から前記中間部位（１ｂ）へと向かう２つの広がり／狭まるテーパー部を有する請求項８に記載のタイ。
【請求項１０】
前記第２の部位（１ｃ）は、前記タイの前記中間部位（１ｂ）から前記第２の部位（１ｃ）の末端部（５）に向かって、２つの広がり／狭まるテーパー部を有する請求項８または９に記載のタイ。
【請求項１１】
以下：
テキスタイル材料の単糸を機械に供給する工程、
ファブリックの編地寸法のサイズを大きくするための作業において、針の数を増加する工程であって、上記の増加工程は、タイの所定の最終形状に応じて可変の時間を有し、
ファブリックの編地寸法を小さくするめの作業において、針の数を減少させる工程であって、上記の減少工程は、タイの所定の最終形状に応じて可変の時間を有し、
タイの展開の長手方向に沿って減少した厚さを有する複数の領域を得るための、針抜き処理をする工程、
タイを針抜き領域に沿って、タイの２つ以上の端が相互に重なるように折り畳む１つ以上の工程
を含む、ニードル繊維機械（needle textile machine）を用いてタイを製造する方法。
【請求項１２】
前記糸を、プントストッファまたは編みファブリックに編む工程をさらに含む請求項１３に記載の方法。
【請求項１３】
前記繊維機械が、１インチあたり１８個の針を有するタイプのものである請求項１１または１２に記載の方法。
【発明の詳細な説明】
【発明の概要】
【０００１】
本発明は、テキスタイル材料から作製されるタイおよびその製造方法に関する。
【０００２】
よく知られているように、タイは一般的に、種々のサイズ、形状および装飾のファブリックのストリップを含み、これは着用した際にシャツのカラーの周りに巻かれて、３つの特徴ある領域：カラー、結び目および末端部を形成する。
【０００３】
一般的に、タイを構成するファブリックのストリップは単一の構成要素でなく、適切に成形し、互いに縫い合わせた、テキスタイル材料の複数のストリップを結合することにより得られる。
【０００４】
通常は、タイは４つか５つのストリップを含み、これらはその端部で縫い付けられて、その全体でタイをなすファブリックの単一のストリップを形成する。続いてファブリックの上記ストリップの外側長手方向の端部を折り重ね、見えないようにストリップの中央部分へと重ね合わせ、上記端部を所定の位置に保持する折り目を形成するように、アイロンにより加圧する。
【０００５】
一般的に、端部は互いに縫い合わされ、タイを着用した場合の安定な位置を確実にする。
【０００６】
好ましくは、ファブリックストリップの一部に縫い付けられた裏地があり、タイを着用した際に目につかないようにされている。
【０００７】
よく知られるように、実質的に２つのタイプのタイ：タイを着用した際に下向きにとがらせる、旧式の「矢型の先端」を有するテーパードタイ、およびストレートにカットされた、すなわち、テーパー部を有さないタイ、がある。
【０００８】
ファブリックの複数のストリップにより得られるタイは、製造するのに特に面倒な不利点を有する。
【０００９】
不都合なことに、このタイプのタイの製造方法は、タイが所定の形を維持するように、幾多の裁縫およびアイロンかけ工程を必要とするため、特にデリケートである。
【００１０】
よく知られるように、複数のファブリック糸を織り、粗いパターンで作られることにより得られる、形作られていないチューブ状のタイも存在する。このようなタイは、十分に形をなさない形状を呈し、しばしば着用した際に不適切な位置を取るという重大な欠点を有する。
【００１１】
発明の開示
本発明の目的は、ファブリックの複数のストリップにより構成されないタイを提供することにより、上記した欠点を解決することである。
【００１２】
本発明のさらなる目的は、着用した際にその形状を維持することができるタイを提供することである。
【００１３】
本発明の他の目的は、ニードル繊維機械（needle textile machine）によりタイを製造するための方法を提供することである。
【００１４】
本発明のさらなる目的は、単純で、合理的・建設的な解決法で上記の結果を得ることである。
【００１５】
上記の目的は、本発明のテキスタイル材料から作製されるタイにより、およびその製造のための関連する方法により十分に達成され、これらは添付した特許請求の範囲の内容により特徴付けられる。
【００１６】
これらの目的および他の目的は、単に限定されない例として添付する図表において示される、好ましい実施形態の以下の記載によって、より容易に明らかになる。
【図面の簡単な説明】
【００１７】
【図１】広げた形状の、本発明により作製されたタイの正面図。
【図２】折った形状の、本発明により作製されたタイの正背面図。
【発明を実施するための形態】
【００１８】
図に関して、数字１は「プントストッファ（punto stoffa）」、またはファブリック編み生産工程により製造される、テキスタイル材料から作製されるタイを示す。このタイ１は、繊維機械へと送られる単一の糸から出発して、単一のテキスタイル要素に製造される。
【００１９】
好ましくは、上記タイ１を、１インチあたり１８個の針を有するニードル繊維機械を用いて得て、従って、プントストッファまたは編みファブリックは対応する約１８の細度を有する。
【００２０】
よく知られるように、「細度」という語は、プントストッファまたは編みファブリックのサイズを示し、この値が大きいほど、編物の寸法は小さくなり、特には、この値は、ある範囲、特に１インチにおいて存在する機械の針の数により決定される。
【００２１】
図１に関して、本発明によるタイは長手展開方向を有し、これに沿って、第１の部位１ａ、中間部位１ｂ、中間部位１ｂに対して上記した第１の部分１ａと反対側に位置する第２の部位１ｃをなす。特に第１の部位１ａは、第１の部位１ａの末端部２から出発し、上記中間部位１ｂに向かう、２つの広がり／狭まるテーパー部を有する。図１に関して、広がるテーパー部を数字３により示し、一方狭まるテーパー部を、数字４により区別した。
【００２２】
好ましくは、上記中間部位１ｂから出発し、タイ１の上記第２の部位の末端部５に向かう、２つの広がり／狭まるテーパー部を有する。図１に関して、広がるテーパー部を数字６で示し、一方狭まるテーパー部を数字７により区別する。
【００２３】
新様式および通常の様式において、タイ１は、タイの長手方向の展開に沿って得られる、複数の針抜き（needle-out）領域８を有する。図面に関して、上記針抜き領域は、好ましくは、タイの目に見えない表面上、特に図１に示す裏面に得られる。針抜き機械加工は、動作針が、裏側の針床中へと動く特有なプロセスであり（つまり、これは作業工程から移動する）、編物製品に穴／窪みに折り目をつける。繊維機械の針床は、一般的にスチールから作製されるシートであり、これは針を含み、ファブリックについての所定の作業工程を行なうのに必要なその作動を可能にする。
【００２４】
好ましい実施形態において、針抜き領域８は上記第１の部位１ａ、第２の部位１ｃおよび中間部位１ｂに、タイの長手方向軸に対して対称位置に配置される。
【００２５】
図２について、針抜き領域８はタイのファブリックが減少した厚さを有する長手方向のラインを形成し、上記長手方向のラインは、タイの端部について、タイの長手方向の軸に対して相互に向かい合うようにする折り目を構成する。このようにして、タイの端部は、裁縫の必要なしに、折り畳んだ位置に維持される。
【００２６】
実施形態の変形例によれば、示さないが、針抜き様式で処理された複数の長手方向のラインが存在し、タイは、重ねられ、折り畳まれた複数の端部の存在のために、より大きな堅牢性を有する。
【００２７】
好ましくは、タイが、タイの各半分について、３つの重ねられた端部を有するように、６つの長手方向のラインが設けられる。
【００２８】
有利には、互いに縫い合わされたファブリックの複数のストリップにより形成されている現在市販されているタイに対して、本発明に従って製造されるタイは、単一のテキスタイル要素で製造され、裁縫を必要としないため、製造が特に単純である。
【００２９】
本発明による他の利点は、プントストッファまたは編みファブリックに編む際に、特に厚みの無い結び目を作製するように磨耗させることができることである。
【００３０】
有利には、本発明によるタイはしっかりと形作られた形状を帯び、ひとたび着用したら、不適切な位置に置かれない。
【００３１】
本発明によれば、ニードル繊維機械を用いてタイを作製する方法は、本来、以下：
テキスタイル材料の単糸を機械に供給する工程、
ファブリックの編地寸法を大きくするめの作業において、針の数を増加する工程であって、上記の増加工程は、タイの所定の最終形状に応じて可変の時間を有し、
ファブリックの編地寸法を小さくするめの作業において、針の数を減少させる工程であって、上記の減少工程は、タイの所定の最終形状に応じて可変の時間を有し、
タイの長手方向の展開に沿って減少した厚さを有する複数の領域を得るための、針抜き処理する工程、
タイを針抜き領域に沿って、タイの２つ以上の端が相互に重なるように折り畳む１つ以上の工程
を含む。
【００３２】
減少した厚さを有する領域は、タイの中心部分に重ねるべき端部についての折り畳み線を形成し、いかなる裁縫またはアイロンによる加圧を行なう必要なしに、着用した後でさえも、上記端部を折り畳んだ位置に維持することができる。
【００３３】
好ましい実施形態によれば、糸はプントストッファまたは編みファブリックに編まれる。
【００３４】
好ましくは、ニードル繊維機械は、１インチあたり１８個の針を有するタイプのものであり、従ってプントストッファまたは編みファブリックは、対応する１８の細度となる。
【００３５】
有利には、本発明による方法は、特に実用的で効率的である。というのは、これはいかなる裁縫、裁断、またはアイロンによる加圧工程を必要としないためである。これに対して、従来技術により製造したタイを所定の形状に保つことを確実にするためには、後者のアイロンかけ工程が絶対に必要である。
【図１】
2009542926.tif 000003
【図２】
2009542926.tif 000004
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
単糸を編むことにより得られる単一のテキスタイル要素から構成されるタイ（１）であって、複数の長手方向のライン（８）を有しており、ここで前記タイ（１）のテキスタイルは減少した厚さを有し、従って、前記長手方向ライン（８）は前記タイの長手方向軸に対して互いに向かい合う前記タイの端部のための折り畳み線を構成し、前記折り畳み線は前記タイの２つ以上の端部の重なりを可能にして、所定の形状の前記タイを得ることができることを特徴とするタイ（１）。
【請求項２】
前記折り畳み線が、前記タイの長手方向軸に対して対称に位置している請求項１に記載のタイ（１）。
【請求項３】
前記テキスタイル要素は、編みファブリック生産工程により製造されている請求項１または２に記載のタイ（１）。
【請求項４】
前記編みファブリックは、センチメートル当たり約７針に相当する、インチ当たり約１８針の細度を有する請求項６に記載のタイ（１）。
【請求項５】
長手展開方向を有し、これに沿って、第１の部位（１ａ）、中間部位（１ｂ）、および前記中間部位（１ｂ）に対して前記第１の部位（１ａ）と反対側に位置する第２の部位（１ｃ）をなす請求項１〜４のいずれか一項に記載のタイ（１）。
【請求項６】
前記第１の部位（１ａ）は２つのテーパー部（３，４）を有し、前記テーパー部の第１の部分（３）は前記タイの前記第１の部位（１ａ）の末端部（２）から始まって広がり、前記テーパー部の第２の部分（４）は前記中間部位（１ｂ）に向かって狭まる請求項５に記載のタイ（１）。
【請求項７】
前記第２の部位（１ｃ）は２つのテーパー（６，７）を有し、前記テーパーの第１の部分（６）は前記タイの前記中間部位（１ｂ）から始まって広がり、前記テーパーの第２の部分（７）は前記タイの前記第２の部位（１ｃ）の末端部（５）に向かって狭まる請求項５または６に記載のタイ。
【請求項８】
以下：
テキスタイル材料の単糸を機械に供給する工程、
ファブリックの編地寸法を大きくするための作業において、針の数を増加する工程であって、上記の増加工程は、タイの所定の最終形状に応じて可変の時間を有し、
ファブリックの編地寸法を小さくするめの作業において、針の数を減少させる工程であって、上記の減少工程は、タイの所定の最終形状に応じて可変の時間を有し、
前記タイのテキスタイルが減少した厚さを有する、複数の長手方向のラインを得るために針処理をする工程、
タイを前記長手方向のラインに沿って、タイの２つ以上の端部が相互に重なるように折り畳む１つ以上の工程
を含む、ニードル繊維機械（needle textile machine）を用いてタイを製造する方法。
【請求項９】
前記糸を、編みファブリックに編む工程をさらに含む請求項８に記載の方法。
【請求項１０】
前記繊維機械が、センチメートル当たり約７個の針に相当する、１インチあたり１８個の針を有するタイプのものである請求項８または９に記載の方法。
【手続補正２】
【補正対象書類名】明細書
【補正対象項目名】００１０
【補正方法】変更
【補正の内容】
【００１０】
よく知られるように、複数のファブリック糸を織り、粗いパターンで作られることにより得られる、形作られていないチューブ状のタイも存在する。このようなタイは、十分に形をなさない形状を呈し、しばしば着用した際に不適切な位置を取るという重大な欠点を有する。
他のネクタイおよび／またはその製造方法が、以下の従来技術文献に開示されている。
文献ＧＢ  １６７３５は、広がっているまたは徐々に広くなる端部へとなっていく、幅の狭い襟部分を有する編みネクタイを開示している。
文献ＵＳ  ２，１０６，２５６により、ネクタイ、特に一体化されたタイが知られており、これはその端部よりも、その中央部分、例えば襟部および結び目において大きな縦糸密度を有している。この文献は、また、このようなタイの製造方法を開示している。
ＵＳ  １，０７２，７３４は、ネクタイおよびスカーフを編む方法を示し、ここで、タイは、１つ以上の縞を有していてもよく、正バイアスまたは実質的に正バイアスについてレース効果を有し、また、縞を形成するこのようなレースの片側または両側においてそれぞれ１色以上の色の縞を有していてもよく、それらすべて、縞は飛び飛びにタイへと供給されまたはタイに変化を与え、ネクタイは、徐々に広がる口広がり末端となっていく幅の狭い襟部、および玉虫色またはアコーディオン効果を与えるために１色以上の色から編まれている本体を有する。
文献ＵＳ  ２，６０１，７７２は、全ての糸が１の厚さのものである平坦な構成の編みタイを開示している。
文献ＵＳ  １，９８８，０９２により、折り畳みネクタイが知られている。
文献  ＵＳ  ２，３０４，９３５は、いわゆる「すべり結び」ネクタイ、およびこの製造方法に関する。
【手続補正３】
【補正対象書類名】明細書
【補正対象項目名】００１８
【補正方法】変更
【補正の内容】
【００１８】
図に関して、数字１はファブリック編み生産工程により製造される、テキスタイル材料から作製されるタイを示す。このタイ１は、繊維機械へと送られる単一の糸から出発して、単一のテキスタイル要素に製造される。
【手続補正４】
【補正対象書類名】明細書
【補正対象項目名】００１９
【補正方法】変更
【補正の内容】
【００１９】
好ましくは、上記タイ１を、１インチあたり１８個の針を有するニードル繊維機械を用いて得て、従って、編みファブリックは対応する約１８の細度を有する。
【手続補正５】
【補正対象書類名】明細書
【補正対象項目名】００２０
【補正方法】変更
【補正の内容】
【００２０】
よく知られるように、「細度」という語は、編みファブリックのサイズを示し、この値が大きいほど、編物の寸法は小さくなり、特には、この値は、ある範囲、特に１インチにおいて存在する機械の針の数により決定される。
【手続補正６】
【補正対象書類名】明細書
【補正対象項目名】００２３
【補正方法】変更
【補正の内容】
【００２３】
新様式および通常の様式において、タイ１は、タイの長手方向の展開に沿って得られる、複数の針抜き（needle-out）領域８を有する。図面に関して、上記針抜き領域は、好ましくは、タイの目に見えない表面上、特に図１に示す裏面に得られる。針抜き機械加工は、動作針が、裏側の針床中へと動く特有なプロセスであり、従ってこれは作業工程から移動し、編物製品に穴／窪みに折り目をつける。繊維機械の針床は、一般的にスチールから作製されるシートであり、これは針を含み、ファブリックについての所定の作業工程を行なうのに必要なその作動を可能にする。
【手続補正７】
【補正対象書類名】明細書
【補正対象項目名】００２９
【補正方法】変更
【補正の内容】
【００２９】
本発明による他の利点は、編みファブリックに編む際に、特に厚みの無い結び目を作製するように磨耗させることができることである。
【手続補正８】
【補正対象書類名】明細書
【補正対象項目名】００３３
【補正方法】変更
【補正の内容】
【００３３】
好ましい実施形態によれば、糸は編みファブリックに編まれる。
【手続補正９】
【補正対象書類名】明細書
【補正対象項目名】００３４
【補正方法】変更
【補正の内容】
【００３４】
好ましくは、ニードル繊維機械は、１インチあたり１８個の針を有するタイプのものであり、従って編みファブリックは、対応する１８の細度となる。
【国際調査報告】
2009542926.tif 000005
2009542926.tif 000006
2009542926.tif 000007